(57)【要約】【課題】表示領域が複数のエリアに分割された液晶表示装置において、各エリアの大きさを表示映像に基づいて変えることにより、消費電力の低減を図る。【解決手段】液晶表示装置において、各エリアＡに含まれるサブエリアＳの各々に対応する複数のＬＥＤ９１から構成される光源Ｌと、分割された複数のエリアと同数設けられ、各エリアに対応する光源を駆動する駆動回路Ｄと、を備え、駆動回路Ｄの各々を対応するエリア内の複数のＬＥＤと互いに隣接するエリア内のＬＥＤとを駆動可能に構成する。また、所定数のエリアから成るブロック領域を予め定められた複数の分割パターンで分割エリアに分割した場合における所定の判別値を算出し、算出した判別値が最も小さくなる分割パターンを特定し、特定した分割パターンによりブロック領域を分割エリアに分割する。【選択図】図４
2010102019.tif 000002
【特許請求の範囲】
【請求項１】
複数のエリアに分割された液晶パネルと、当該エリアに一対一で対応する複数の光源を備えるＬＥＤバックライトと、当該エリアと同数設けられ、各エリアに対応する光源を駆動する駆動回路と、を備える液晶表示装置において、
前記エリアの各々には、複数のサブエリアが含まれ、
前記光源の各々は、前記サブエリアの各々に対応する複数のＬＥＤから構成され、
前記駆動回路の各々は、対応するエリア内の複数のＬＥＤと、互いに隣接するエリア内のＬＥＤとを駆動可能に構成され、
映像信号に基づいて、前記サブエリア毎に必要な輝度を算出する算出手段と、
所定数の前記エリアから成るブロック領域を、予め定められた複数の分割パターンで分割エリアに分割した場合における所定の判別値を算出し、前記複数の分割パターンの中から、算出した判別値が最も小さくなる分割パターンを特定する特定手段と、
前記特定手段により特定された分割パターンにより、前記ブロック領域を前記分割エリアに分割し、前記駆動回路の各々が担当する当該分割エリアを特定する分割手段と、
前記分割手段により分割された前記分割エリア内のサブエリアの輝度に基づいて、当該分割エリア内のＬＥＤの発光強度を算出する発光強度算出手段と、
前記駆動回路の各々により、前記分割手段により特定された当該駆動回路の各々が担当する分割エリア内の前記ＬＥＤを、前記発光強度算出手段により算出された発光強度で発光させる制御手段と、
前記分割手段により分割された各分割エリアに属する画素の映像信号を、前記発光強度算出手段により算出された当該分割エリア内の前記ＬＥＤの発光強度に応じて補正する補正手段と、
を備え、
前記分割パターンの各々は、各ブロック領域に含まれる前記エリアの数と同数の分割エリアにより構成され、
前記判別値は、前記算出手段により算出された前記サブエリア毎の輝度に基づいて、一のブロック領域に含まれる分割エリア毎に、その分割エリアに含まれる前記サブエリアの最小輝度と最大輝度の差分値を算出し、算出された当該差分値を、前記一のブロック領域に含まれる分割エリア間で合計若しくは平均化した値であることを特徴とする液晶表示装置。
【請求項２】
複数のエリアに分割された液晶パネルと、当該エリアに一対一で対応する複数の光源を備えるＬＥＤバックライトと、当該エリアと同数設けられ、各エリアに対応する光源を駆動する駆動回路と、を備える液晶表示装置において、
前記エリアの各々には、第１サブエリアと第２サブエリアとが含まれ、
前記光源の各々は、前記第１サブエリアに対応する第１ＬＥＤと、前記第２サブエリアに対応する第２ＬＥＤと、から構成され、
前記駆動回路の各々は、対応するエリア内の第１ＬＥＤ及び第２ＬＥＤと、互いに隣接するエリア内の第１ＬＥＤ又は第２ＬＥＤのうちの隣接する側に配されているＬＥＤと、を駆動可能に構成され、
映像信号に基づいて、前記第１サブエリア及び前記第２サブエリア毎に必要な輝度を算出する算出手段と、
３つの前記エリアから成るブロック領域を、予め定められた８つの分割パターンで３つの分割エリアに分割した場合における所定の判別値を算出し、前記８つの分割パターンの中から、算出した判別値が最も小さくなる分割パターンを特定する特定手段と、
前記特定手段により特定された分割パターンにより、前記ブロック領域を前記分割エリアに分割し、前記駆動回路の各々が担当する当該分割エリアを特定する分割手段と、
前記分割手段により分割された分割エリア内における前記第１サブエリア及び前記第２サブエリアの輝度に基づいて、当該分割エリア内のＬＥＤの発光強度を算出する発光強度算出手段と、
前記駆動回路の各々により、前記分割手段により特定された当該駆動回路の各々が担当する分割エリア内の前記ＬＥＤを、前記発光強度算出手段により算出された発光強度で、発光させる制御手段と、
前記特定手段により特定された分割エリアに属する画素の映像信号を、前記発光強度算出手段により算出された当該分割エリア内の前記ＬＥＤの発光強度に応じて補正する補正手段と、
を備え、
前記判別値は、前記算出手段により算出された前記サブエリア毎の輝度に基づいて、一のブロック領域に含まれる分割エリア毎に、その分割エリアに含まれる前記サブエリアの最小輝度と最大輝度の差分値を算出し、算出された当該差分値を、前記一のブロック領域に含まれる分割エリア間で合計若しくは平均化した値であることを特徴とする液晶表示装置。
【発明の詳細な説明】
【技術分野】
【０００１】
本発明は、液晶表示装置に関する。
【背景技術】
【０００２】
近年、液晶表示装置として、表示領域を複数のエリアに分割し、エリア毎に対応する光源を必要な輝度で発光させることにより、消費電力の低減と画質の向上を図るものが知られている。
また、複数のＬＥＤを光源とする液晶表示装置において、複数のＬＥＤの明るさを点灯するための駆動回路と、各ＬＥＤの短絡を行うためのスイッチを設け、スイッチの開閉により任意の短絡を制御することにより、駆動回路をＬＥＤ毎に備えずとも、エリア毎の明るさ制御を実現する発光ダイオードの点灯制御装置が提案されている（例えば、特許文献１参照。）。
【特許文献１】特開２００８−５８３６７号公報
【発明の開示】
【発明が解決しようとする課題】
【０００３】
ところで、消費電力の低減や画質向上を図るためには、表示映像に基づいて液晶パネルの表示領域を最適なエリアに区分し、その上で区分したエリアに合わせて各ＬＥＤを駆動させることにより、初めて消費電力の低減や画質向上という目的が達成される。
しかしながら、上記特許文献１は、単にスイッチの開閉によりＬＥＤの点灯・消灯を制御する技術に過ぎず、消費電力の低減や画質向上を図るための具体的な手法を有するものではなかった。
【０００４】
本発明の課題は、表示領域が複数のエリアに分割された液晶表示装置において、各エリアの大きさを表示映像に基づいて変えることにより、消費電力の低減と画質の向上を図ることである。
【課題を解決するための手段】
【０００５】
上記課題を解決するため、請求項１に記載の発明は、複数のエリアに分割された液晶パネルと、当該エリアに一対一で対応する複数の光源を備えるＬＥＤバックライトと、当該エリアと同数設けられ、各エリアに対応する光源を駆動する駆動回路と、を備える液晶表示装置において、
前記エリアの各々には、複数のサブエリアが含まれ、
前記光源の各々は、前記サブエリアの各々に対応する複数のＬＥＤから構成され、
前記駆動回路の各々は、対応するエリア内の複数のＬＥＤと、互いに隣接するエリア内のＬＥＤとを駆動可能に構成され、
映像信号に基づいて、前記サブエリア毎に必要な輝度を算出する算出手段と、
所定数の前記エリアから成るブロック領域を、予め定められた複数の分割パターンで分割エリアに分割した場合における所定の判別値を算出し、前記複数の分割パターンの中から、算出した判別値が最も小さくなる分割パターンを特定する特定手段と、
前記特定手段により特定された分割パターンにより、前記ブロック領域を前記分割エリアに分割し、前記駆動回路の各々が担当する当該分割エリアを特定する分割手段と、
前記分割手段により分割された前記分割エリア内のサブエリアの輝度に基づいて、当該分割エリア内のＬＥＤの発光強度を算出する発光強度算出手段と、
前記駆動回路の各々により、前記分割手段により特定された当該駆動回路の各々が担当する分割エリア内の前記ＬＥＤを、前記発光強度算出手段により算出された発光強度で発光させる制御手段と、
前記分割手段により分割された各分割エリアに属する画素の映像信号を、前記発光強度算出手段により算出された当該分割エリア内の前記ＬＥＤの発光強度に応じて補正する補正手段と、
を備え、
前記分割パターンの各々は、各ブロック領域に含まれる前記エリアの数と同数の分割エリアにより構成され、
前記判別値は、前記算出手段により算出された前記サブエリア毎の輝度に基づいて、一のブロック領域に含まれる分割エリア毎に、その分割エリアに含まれる前記サブエリアの最小輝度と最大輝度の差分値を算出し、算出された当該差分値を、前記一のブロック領域に含まれる分割エリア間で合計若しくは平均化した値であることを特徴とする。
【０００６】
請求項２に記載の発明は、複数のエリアに分割された液晶パネルと、当該エリアに一対一で対応する複数の光源を備えるＬＥＤバックライトと、当該エリアと同数設けられ、各エリアに対応する光源を駆動する駆動回路と、を備える液晶表示装置において、
前記エリアの各々には、第１サブエリアと第２サブエリアとが含まれ、
前記光源の各々は、前記第１サブエリアに対応する第１ＬＥＤと、前記第２サブエリアに対応する第２ＬＥＤと、から構成され、
前記駆動回路の各々は、対応するエリア内の第１ＬＥＤ及び第２ＬＥＤと、互いに隣接するエリア内の第１ＬＥＤ又は第２ＬＥＤのうちの隣接する側に配されているＬＥＤと、を駆動可能に構成され、
映像信号に基づいて、前記第１サブエリア及び前記第２サブエリア毎に必要な輝度を算出する算出手段と、
３つの前記エリアから成るブロック領域を、予め定められた８つの分割パターンで３つの分割エリアに分割した場合における所定の判別値を算出し、前記８つの分割パターンの中から、算出した判別値が最も小さくなる分割パターンを特定する特定手段と、
前記特定手段により特定された分割パターンにより、前記ブロック領域を前記分割エリアに分割し、前記駆動回路の各々が担当する当該分割エリアを特定する分割手段と、
前記分割手段により分割された分割エリア内における前記第１サブエリア及び前記第２サブエリアの輝度に基づいて、当該分割エリア内のＬＥＤの発光強度を算出する発光強度算出手段と、
前記駆動回路の各々により、前記分割手段により特定された当該駆動回路の各々が担当する分割エリア内の前記ＬＥＤを、前記発光強度算出手段により算出された発光強度で、発光させる制御手段と、
前記特定手段により特定された分割エリアに属する画素の映像信号を、前記発光強度算出手段により算出された当該分割エリア内の前記ＬＥＤの発光強度に応じて補正する補正手段と、
を備え、
前記判別値は、前記算出手段により算出された前記サブエリア毎の輝度に基づいて、一のブロック領域に含まれる分割エリア毎に、その分割エリアに含まれる前記サブエリアの最小輝度と最大輝度の差分値を算出し、算出された当該差分値を、前記一のブロック領域に含まれる分割エリア間で合計若しくは平均化した値であることを特徴とする。
【発明の効果】
【０００７】
本発明によれば、複数のエリアに分割された液晶パネルと、エリアに一対一で対応する複数の光源を備えるＬＥＤバックライトと、エリアと同数設けられ、各エリアに対応する光源を駆動する駆動回路と、を備える液晶表示装置において、エリアの各々には、複数のサブエリアが含まれ、光源の各々は、サブエリアの各々に対応する複数のＬＥＤから構成され、駆動回路の各々は、対応するエリア内の複数のＬＥＤと、互いに隣接するエリア内のＬＥＤとを駆動可能に構成される。また、算出手段により、映像信号に基づいて、サブエリア毎に必要な輝度が算出され、特定手段により、所定数のエリアから成るブロック領域を、予め定められた複数の分割パターンで分割エリアに分割した場合における所定の判別値が算出され、複数の分割パターンの中から、算出した判別値が最も小さくなる分割パターンが特定され、特定手段により特定された分割パターンにより、ブロック領域が分割エリアに分割され、駆動回路の各々が担当する分割エリアが特定される。また、発光強度算出手段により、分割手段により分割された分割エリア内のサブエリアの輝度に基づいて、分割エリア内のＬＥＤの発光強度が算出され、制御手段により、駆動回路の各々により、分割手段により特定された駆動回路の各々が担当する分割エリア内のＬＥＤが、発光強度算出手段により算出された発光強度で発光され、補正手段により、分割手段により分割された各分割エリアに属する画素の映像信号が、発光強度算出手段により算出された当該分割エリア内のＬＥＤの発光強度に応じて補正される。また、分割パターンの各々は、各ブロック領域に含まれるエリアの数と同数の分割エリアにより構成され、判別値は、算出手段により算出されたサブエリア毎の輝度に基づいて、一のブロック領域に含まれる分割エリア毎に、その分割エリアに含まれる前記サブエリアの最小輝度と最大輝度の差分値を算出し、算出された当該差分値を、前記一のブロック領域に含まれる分割エリア間で合計若しくは平均化した値である。
すなわち、映像信号に基づいて、複数のエリアから成るブロック領域が、予め定められた複数の分割パターンのうち、そのブロック領域に含まれる各分割エリア内のサブエリアの輝度の差分の分割エリア全体での総和若しくは平均値が最も小さくなる分割パターンにより分割され、各駆動回路により、ブロック領域内のＬＥＤが、分割エリア単位で発光されることとなる。したがって、表示領域が複数のエリアに分割された液晶表示装置において、各エリアの大きさが表示映像に基づく適切な大きさに変わることとなり、常に固定されたエリア単位で各光源を発光させる場合と比較して、消費電力の低減と画質の向上を図ることができる。
【発明を実施するための最良の形態】
【０００８】
以下、本発明の実施の形態について図面を参照しながら説明する。なお、発明の範囲は図示例に限定されない。
【０００９】
図１は、本実施形態の液晶表示装置１００の要部構成を示すブロック図である。
本実施形態の液晶表示装置１００は、例えば、図１に示すように、信号入力部１、映像処理部２、タイミング制御部３、フレームメモリ４、算出手段としての輝度算出部５、液晶パネル６、走査線駆動部７、信号線駆動部８、ＬＥＤバックライト９、バックライト駆動部１０、バックライト制御部１１、補正手段としての補正部１２、制御部１３等を備える。
【００１０】
信号入力部１は、例えば、テレビジョン放送信号を受信するアンテナ及びチューナや、外部装置からの画像信号を受信する各種映像端子等を備えて構成され、入力される画像信号を受信して、映像処理部２に出力する。
【００１１】
映像処理部２は、Ａ／Ｄ変換回路、ＲＧＢ生成回路、画質調整回路等を備えて構成され、信号入力部１から供給される画像信号に基づいて、ＲＧＢのデジタル画像信号を生成し、液晶パネル６の画素数に応じたスケーリング処理を行って、１フレーム分の画像信号を生成する。さらに、１フレーム分の画像信号に対して、制御部１３から出力される画質調整信号に基づいて、ブライトネス、コントラスト、色の濃さ、色合い、シャープネス等の各種画質調整を行った後に、フレームメモリ４に出力する。
【００１２】
タイミング制御部３は、信号入力部１から供給される画像信号に基づいて、１ライン期間を示すタイミング信号と、１フレーム期間を示すタイミング信号とを生成して、液晶表示装置１００の各部に供給する。
【００１３】
フレームメモリ４は、映像処理部２から入力される画像信号をフレーム単位で蓄積する。
輝度算出部５は、後述する輝度算出プログラム１３４ａの実行において、フレームメモリ４に蓄積された１フレーム分の画像信号に基づいて、後述するサブエリアＳ（第１サブエリアＳ１及び第２サブエリアＳ２）毎に、サブエリアＳ内の画素の画像信号から、各サブエリアＳに対応する各光源Ｌに必要な輝度を算出し、算出した輝度を制御部１３に出力する。
【００１４】
液晶パネル６は、所定の間隔を隔てて配設された一対の基板の間に液晶が封入されて成る。これら一対の基板は、偏光軸が直交した２枚の偏光板で挟まれ、背面側にはＬＥＤバックライト９が配設されている。
基板の上面には、ｐ行の走査線Ｘ（Ｘ１〜Ｘｐ）及びｑ列の信号線Ｙ（Ｙ１〜Ｙｑ）が互いに直交するように配列されている。この液晶パネル６は、例えば、アクティブマトリクス駆動方式を採用しており、走査線Ｘと信号線Ｙの各交点の画素に、アクティブ素子としての薄膜トランジスタ（TFT: Thin Film Transistor）が配設されている。各画素には画素電極が形成され、画素電極に対向して、対向する基板に対向電極が形成されている。また、画素電極と対向電極との対向面にはそれぞれ配向膜が形成されている。
【００１５】
走査線駆動部７は、液晶パネル６における走査線Ｘ（Ｘ１〜Ｘｐ）の各々に対応して設けられており、タイミング制御部３からのタイミング信号に従って、各走査線Ｘを順に選択して、同一の走査線Ｘ上に連なるＴＦＴをオン／オフさせる。
信号線駆動部８は、液晶パネル６における信号線Ｙ（Ｙ１〜Ｙｑ）の各々に対応して設けられており、走査線駆動部７による各走査線Ｘの走査に同期して、映像処理部２から入力される画像信号に応じた電圧を信号線Ｙに対して印加する。
走査線駆動部７及び信号線駆動部８により走査線Ｘと信号線Ｙとが駆動されると、それらの交点にある画素のＴＦＴがオンとなって画素電極に電荷が蓄積され、その画素電極と対向電極との間に挟持されている液晶の配列方向が変化して、配向膜と偏光板とともに、液晶パネル６の背面側に設けられたＬＥＤバックライト９から照射される光を画素単位で通過或いは遮断させる。
【００１６】
本実施形態において、液晶パネル６は複数のエリアＡに分割されている。
また、液晶パネル６の背面側に配置されているＬＥＤバックライト９が、液晶パネル６を構成する複数のエリアＡに一対一で対応する複数の光源Ｌから構成されている。
ここで、図２（ａ）は、本実施形態の液晶パネル６の表示領域を模式的に示す図であり、図２（ｂ）は、本実施形態のＬＥＤバックライト９を模式的に示す図である。また、図３（ａ）は、液晶パネル６を構成する複数のエリアＡのうちの一つのエリアＡを模式的に示す図であり、図３（ｂ）は、図３（ａ）のエリアＡに対応する一つの光源Ｌを模式的に示す図である。さらに、図３（ｃ）は、図３（ａ）のエリアＡと図３（ｂ）の光源Ｌとを重ね合わせた図である。
【００１７】
図２（ａ）に示すように、本実施形態の液晶表示装置１００は、液晶パネル６の表示領域が、縦ｎ個×横ｍ個のエリアＡ・・・にマトリクス状に等分割されている。また、図２（ｂ）に示すように、ＬＥＤバックライト９が、液晶パネル６を構成するエリアＡ・・・に一対一で対応する縦ｎ個×横ｍ個の光源Ｌ・・・から構成されている。
【００１８】
以下では、液晶パネル６を構成するエリアＡのうち、左上端部に位置するエリアにＡ（１、１）、右上端部に位置するエリアにＡ（ｍ、１）、左下端部に位置するエリアにＡ（１、ｎ）、右下端部に位置するエリアにＡ（ｍ、ｎ）の符号を付して説明する。
また、ＬＥＤバックライト９を構成する光源Ｌのうち、エリアＡ（１、１）に対応する左上端部に位置する光源にＬ（１、１）、エリアＡ（ｍ、１）に対応する右上端部に位置する光源にＬ（ｍ、１）、エリアＡ（１、ｎ）に対応する左下端部に位置する光源にＬ（１、ｎ）、エリアＡ（ｍ、ｎ）に対応する右下端部に位置する光源にＬ（ｍ、ｎ）の符号を付して説明する。
また、その他のエリアＡ及び光源Ｌについても、同様の方法で符号を割り当てることとする。
【００１９】
また、図３（ａ）に示すように、液晶パネル６を構成する各エリアＡは、上下２つの第１サブエリアＳ１（サブエリアＳ）と第２サブエリアＳ２（サブエリアＳ）とから構成されている。
また、図３（ｂ）に示すように、ＬＥＤバックライト９を構成する各光源Ｌは、上下に配置された第１ＬＥＤ９１ａ（ＬＥＤ９１）と第２ＬＥＤ９１ｂ（ＬＥＤ９１）とを備えて構成されている。そして、図３（ｃ）に示すように、第１ＬＥＤ９１ａは、第１サブエリアＳ１に対応するように、第１サブエリアＳ１の略中央部に対応する位置に配置され、第２ＬＥＤ９１ｂは、第２サブエリアＳ２に対応するように、第２サブエリアＳ２の略中央部に対応する位置に配置されている。
【００２０】
上述した各エリアＡと各光源Ｌとの対応関係と、各サブエリアＳ（第１サブエリアＳ１及び第２サブエリアＳ２）と各ＬＥＤ９１（第１ＬＥＤ９１ａ及び第２ＬＥＤ９１ｂ）との対応関係とは、後述するＥＥＰＲＯＭ１３３内に予め記憶されている。
【００２１】
バックライト駆動部１０は、液晶パネル６のエリアＡと同数のｎ個×ｍ個の駆動回路Ｄを備え、これらの駆動回路Ｄが各エリアＡに一対一で対応付けられている。
以下では、バックライト駆動部１０を構成する各駆動回路Ｄのうち、エリアＡ（１、１）に対応する駆動回路にＤ（１、１）、エリアＡ（ｍ、１）に対応する駆動回路にＤ（ｍ、１）、エリアＡ（１、ｎ）に対応する駆動回路にＤ（１、ｎ）、エリアＡ（ｍ、ｎ）に対応する駆動回路にＤ（ｍ、ｎ）の符号を付して説明する。また、その他の駆動回路Ｄについても、同様の方法で符号を割り当てることとする。
【００２２】
各駆動回路Ｄは、対応するエリアＡ内の第１ＬＥＤ９１ａ及び第２ＬＥＤ９１ｂを駆動可能に構成されている。さらに、各駆動回路Ｄは、対応するエリアＡ内の第１ＬＥＤ９１ａ及び第２ＬＥＤ９１ｂだけでなく、そのエリアＡに隣接するエリア内の第１ＬＥＤ９１ａ及び第２ＬＥＤ９１ｂのうちの隣接する側に配されているＬＥＤ９１を駆動可能に構成されている。
【００２３】
ここで、図４を参照しながら、駆動回路Ｄの回路構成について具体的に説明する。
図４に例示する駆動回路Ｄは、バックライト駆動部１０を構成する駆動回路Ｄのうち、図２（ａ）に例示する液晶パネル６内の左側端部上側に位置する三つのエリアＡ（１、１）、Ａ（１、２）、Ａ（１、３）に対応する３つの駆動回路Ｄ（１、１）、Ｄ（１、２）、Ｄ（１、３）である。これら３つのエリアＡ（１、１）、Ａ（１、２）、Ａ（１、３）は、液晶パネル６において並んで配置されたエリアＡであり、これらの３つのエリアＡ（１、１）、Ａ（１、２）、Ａ（１、３）が一つのブロック領域Ｂを構成している（図２（ａ）参照）。
【００２４】
エリアＡ（１、１）、Ａ（１、２）、Ａ（１、３）のそれぞれには、第１ＬＥＤ９１ａと第２ＬＥＤ９１ｂの２つのＬＥＤ９１が配置されている。２つのＬＥＤ９１の各々は、そのＬＥＤ９１が配されたエリアに対応する駆動回路Ｄによって駆動可能となっている。
すなわち、エリアＡ（１、１）内の第１ＬＥＤ９１ａ及び第２ＬＥＤ９１ｂは、エリアＡ（１、１）に対応する駆動回路Ｄ（１、１）によって駆動可能であり、エリアＡ（１、２）内の第１ＬＥＤ９１ａ及び第２ＬＥＤ９１ｂは、エリアＡ（１、２）に対応する駆動回路Ｄ（１、２）によって駆動可能であり、エリアＡ（１、３）内の第１ＬＥＤ９１ａ及び第２ＬＥＤ９１ｂは、エリアＡ（１、３）に対応する駆動回路Ｄ（１、３）によって駆動可能である。
【００２５】
また、各ＬＥＤ９１の両側には、スイッチＳＷが設けられており、これらのスイッチＳＷを切り換えることにより、同じエリアＡ内に配置された第１ＬＥＤ９１ａと第２ＬＥＤ９１ｂとが接続可能となっている。
さらに、各エリアＡ内のＬＥＤ９１のそれぞれは、スイッチＳＷの切り換えにより、そのエリアＡに隣接するエリア内の２つＬＥＤ９１のうち、隣接する側に配されているＬＥＤ９１と接続可能となっている。すなわち、スイッチＳＷを切り換えることにより、各エリアＡ内の下側に位置する第２ＬＥＤ９１ｂと、そのエリアの一つ下のエリアＡ内の上側に位置する第１ＬＥＤ９１ａとを、接続したり、または、非接続とすることができる。例えば、エリアＡ（１、１）において下側に配されている第２ＬＥＤ９１ｂは、エリアＡ（１、２）において上側に配されている第１ＬＥＤ９１ａと、２つのスイッチＳＷを切り換えることにより、接続／非接続される。
【００２６】
各ＬＥＤ９１の両側に配されたスイッチＳＷは、例えば、ＭＯＳ−ＦＥＴ（Metal-Oxide-Semiconductor Field-Effect Transistor；電界効果トランジスタ）等であり、バックライト制御部１１からの制御信号によって切り換えられる。そして、これらのスイッチＳＷの切り換えにより、ブロック領域Ｂ内で並んで配置されているＬＥＤ９１同士を所望の接続パターンで接続することができる。
【００２７】
したがって、スイッチＳＷを切り換えて、ある接続パターンで連続するＬＥＤ９１同士を接続することにより、各ＬＥＤ９１が、そのＬＥＤ９１が配されているエリアＡに対応する駆動回路Ｄ、又は、そのＬＥＤ９１に隣接する側のエリアＡに対応する駆動回路Ｄの何れかにより駆動されることとなる。
すなわち、エリアＡ（１、１）内の第２ＬＥＤ９１ｂは、エリアＡ（１、１）に対応する駆動回路Ｄ（１、１）だけでなく、エリアＡ（１、２）に対応する駆動回路Ｄ（１、２）によっても駆動可能に構成されている。また、エリア（１、２）内の第１ＬＥＤ９１ａは、エリアＢに対応する駆動回路Ｄ（１、２）だけでなく、エリアＡ（１、１）に対応する駆動回路Ｄ（１、１）によっても駆動可能に構成されている。また、エリアＡ（１、２）内の第２ＬＥＤ９１ｂは、エリアＡ（１、２）に対応する駆動回路Ｄ（１、２）だけでなく、エリアＡ（１、３）に対応する駆動回路Ｄ（１、３）によっても駆動可能に構成されている。また、エリアＡ（１、３）内の第１ＬＥＤ９１ａは、エリアＡ（１、３）に対応する駆動回路Ｄ（１、３）だけでなく、エリアＡ（１、２）に対応する駆動回路Ｄ（１、２）によっても駆動可能に構成されている。
【００２８】
また、このとき、各駆動回路Ｄからの駆動信号は、スイッチＳＷを介して接続されている複数のＬＥＤ９１に流れることとなるため、各駆動回路Ｄは、対応するエリア内の第１ＬＥＤ９１ａ及び第２ＬＥＤ９１ｂと、一つ上のエリア内の第２ＬＥＤ９１ｂと、一つ下のエリア内の第１ＬＥＤ９１ａとの４つのＬＥＤ９１の中から、互いに接続された１つ〜４つのＬＥＤ９１を同じ発光強度で駆動することとなる。
【００２９】
また、本実施形態では、液晶パネル６が複数の分割エリアに分割されるようになっている。
ここで、分割エリアとは、一つの駆動回路Ｄにより同じ発光強度で駆動されるＬＥＤ９１が配されているサブエリアＳの集合である。また、一つの駆動回路Ｄにより駆動されるＬＥＤ９１が一つである場合には、当該一つのＬＥＤ９１が配置されているサブエリアＳが分割エリアを構成する。
すなわち、複数のエリアＡから成るブロック領域Ｂ内のスイッチＳＷを切り換えて、ブロック領域Ｂ内のＬＥＤ９１同士をある接続パターンで接続すると、互いに接続された複数のＬＥＤ９１が配置されているサブエリアＳの集合と、他のＬＥＤ９１と接続されていない単独のＬＥＤ９１が配置されているサブエリアＳと、がそれぞれ一つの分割エリアを構成することとなり、ブロック領域Ｂが複数の分割エリアに分割されることとなる。
【００３０】
上述のように、各駆動回路Ｄは、対応するエリアＡ内の第１ＬＥＤ９１ａ及び第２ＬＥＤ９１ｂと、一つ上のエリアＡ内の第２ＬＥＤ９１ｂと、一つ下のエリアＡ内の第１ＬＥＤ９１ａとの４つのＬＥＤ９１の中から、互いに接続された１つ〜４つのＬＥＤ９１を駆動するように構成されている。そのため、ブロック領域ＢにおけるＬＥＤ９１の接続パターンは８通りあり、よって、３つのエリアＡから成るブロック領域Ｂを３つの分割エリアに分割するための分割パターンは８つである。
【００３１】
図５に、３つのエリアＡ（１、１）、Ａ（１、２）、Ａ（１、３）から成るブロック領域Ｂを３つの分割エリアに分割するための８つの分割パターンを示す。なお、図５では、網掛け表示された領域が２つ目の分割エリアであり、網掛け表示された領域よりも上側の領域が１つ目の分割エリア、網掛け表示された領域よりも下側の領域が３つ目の分割エリアとなっている。
例えば、図５（ａ）の分割パターンでは、エリアＡ（１、１）の第１サブエリアＳ１を１つ目の分割エリアに区分し、エリアＡ（１、１）の第２サブエリアＳ２とエリアＡ（１、２）の第１サブエリアＳ１とを２つ目の分割エリアに区分し、エリアＡ（１、２）の第２サブエリアＳ２とエリアＡ（１、３）の第１サブエリアＳ１及び第２サブエリアＳ２とを３つ目の分割エリアに区分している。
また、例えば、図５（ｃ）の分割パターンでは、エリアＡ（１、１）の第１サブエリアＳ１を１つ目の分割エリアに区分し、エリアＡ（１、１）の第２サブエリアＳ２とエリアＡ（１、２）の第１サブエリアＳ１及び第２サブエリアＳ２とエリアＡ（１、３）の第１サブエリアＳ１とを２つ目の分割エリアに区分し、エリアＡ（１、３）の第２サブエリアＳ２を３つ目の分割エリアに区分している。
また、例えば、図５（ｅ）の分割パターンでは、エリアＡ（１、１）の第１サブエリアＳ１及び第２サブエリアＳ２を１つ目の分割エリアに区分し、エリアＡ（１、２）の第１サブエリアＳ１及び第２サブエリアＳ２を２つ目の分割エリアに区分し、エリアＡ（１、３）の第１サブエリアＳ１及び第２サブエリアＳ２を３つ目の分割エリアに区分している。なお、図５（ｅ）の分割パターンは、エリアＡの分割方法と同じである。
【００３２】
バックライト制御部１１は、制御部１３からの指示にしたがって、ＬＥＤ９１の両側に配置されたスイッチＳＷを切り換えてＬＥＤ９１同士を接続するととともに、駆動回路Ｄの各々を駆動させることにより、ＬＥＤバックライト９の各光源Ｌに備わるＬＥＤ９１を、互いに接続されたＬＥＤ９１単位、すなわち、分割エリア単位で駆動させる制御を行う。
【００３３】
補正部１２は、制御部１３からの制御にしたがって、分割エリアに属する画素の画像信号を、その分割エリア内のＬＥＤ９１の発光強度に応じて補正する。
【００３４】
制御部１３は、例えば、ＣＰＵ（Central Processing Unit）１３１、ＣＰＵ１３１のワークエリアとして用いられるＲＡＭ（Random Access Memory）１３２、データの書換え及び消去が可能なＥＥＰＲＯＭ（Electrically Erasable Programmable ROM）１３３、ＣＰＵ１３１によって実行される各種プログラムを格納するＲＯＭ（Read Only Memory）１３４等を備えて構成される。
【００３５】
ＣＰＵ１３１は、液晶表示装置１００の各部から入力される入力信号に応じて、ＲＯＭ１３４に格納された各種プログラムを実行するとともに、実行にかかるプログラムに基づいて各部に出力信号を出力することにより、液晶表示装置１００の動作全般を統括制御する。
【００３６】
ＲＯＭ１３４は、プログラム格納エリア内に、例えば、算出手段としての輝度算出プログラム１３４ａ、特定手段としての特定プログラム１３４ｂ、分割手段としての分割プログラム１３４ｃ、発光強度算出手段としての発光強度算出プログラム１３４ｄ、制御手段としての発光制御プログラム１３４ｅ、補正手段としての補正プログラム１３４ｆ等を備えている。
【００３７】
輝度算出プログラム１３４ａは、例えば、ＣＰＵ１３１に、映像信号に基づいて、サブエリアＳ（第１サブエリアＳ１及び第２サブエリアＳ２）毎に必要な輝度を算出する機能を実現させるためのプログラムである。
具体的には、輝度算出プログラム１３４ａを実行するＣＰＵ１３１は、輝度算出部５において、フレームメモリ４から入力される映像信号に基づいて、液晶パネル６を構成するサブエリアＳ毎に、そのサブエリアＳにおける映像表示に必要な輝度を算出させる。
ＣＰＵ１３１は、かかる輝度算出プログラム１３４ａを実行することにより、輝度算出部５とともに算出手段として機能する。
【００３８】
特定プログラム１３４ｂは、例えば、ＣＰＵ１３１に、３つのエリアＡから成るブロック領域Ｂを、予め定められた８つの分割パターンで分割した場合における各分割パターンの所定の判別値を算出し、８つの分割パターンの中から、算出した判別値が最も小さくなる分割パターンを特定する機能を実現させるためのプログラムである。
具体的には、特定プログラム１３４ｂを実行するＣＰＵ１３１は、初めに、３つのエリアＡからなるブロック領域Ｂを予め定められた８つの分割パターンで分割する。次に、ブロック領域Ｂを一つの分割パターンで分割した場合について、輝度算出プログラム１３４ａの実行により算出されたサブエリアＳ毎の輝度に基づいて、そのブロック領域Ｂに含まれる分割エリア毎に、その分割エリアに含まれるサブエリアＳの最小輝度と最大輝度の差分値を算出する。次に、算出した差分値を、そのブロック領域Ｂに含まれる分割エリア間で合計若しくは平均化し、これをその分割パターンにおける所定の判別値とする。さらに、所定の判別値を算出する処理を、８つの分割バターンのそれぞれについて実行し、８つの判別値を比較する。そして、８つの分割パターンの中から、判別値が最も小さくなる分割パターンを特定する。
ＣＰＵ１３１は、かかる特定プログラム１３４ｂを実行することにより、特定手段として機能する。
【００３９】
ここで、具体例を用いて、輝度算出プログラム１３４ａ及び特定プログラム１３４ｂの実行において、ＣＰＵ１３１により実行される処理を説明する。
【００４０】
例えば、図６に示すように、ブロック領域Ｂを構成する３つのエリアＡのうち、上に位置するエリアＡ（１、１）の第１サブエリアＳ１の輝度が「２０」、第２サブエリアＳ２の輝度が「９０」であり、真ん中に位置するエリアＡ（１、２）の第１サブエリアＳ１の輝度が「９０」、第２サブエリアＳ２の輝度が「８０」であり、下に位置するエリアＡ（１、３）の第１サブエリアＳ１の輝度が「８０」、第２サブエリアＳ２の輝度が「４０」と算出された場合について説明する。
【００４１】
まず、ＣＰＵ１３１は、このようなブロック領域Ｂを、図５（ａ）に示す分割パターンで、３つの分割エリアに分割し、分割エリア毎に、その分割エリアに含まれるサブエリアＳの最小輝度と最大輝度の差分値を算出する。このとき、ＣＰＵ１３１は、分割エリアに一つのサブエリアＳしか含まれていない場合と、分割エリアに含まれるサブエリアＳ同士の輝度が同じ値である場合には、差分値を「０」とする。
すると、上側に位置する１つ目の分割エリアには一つのサブエリアＳのみが含まれているため、１つ目の分割エリアの差分値が「０」と算出される。また、真ん中に位置する２つ目の分割エリアには、同一輝度「９０」のサブエリアＳが二つ含まれているため、２つ目の分割エリアの差分値が「０」とされる。また、下側に位置する３つ目の分割エリアには、輝度「８０」のサブエリアＳが二つ含まれ、輝度「４０」のサブエリアＳが一つ含まれているため、最大輝度「８０」と最大輝度「４０」との演算により、３つめの分割エリアの差分値が「４０」とされる。
さらに、ＣＰＵ１３１は、各分割エリア内のサブエリアＳの輝度から算出された差分値を、３つの分割エリア間で合計し、合計値「４０」を、図５（ａ）の分割パターンにおける判別値と決定する。
【００４２】
次に、ＣＰＵ１３１は、ブロック領域Ｂを、図５（ｂ）に示す分割パターンで、３つの分割エリアに分割し、分割エリア毎に、その分割エリアに含まれるサブエリアＳの最小輝度と最大輝度の差分値を算出する。
すると、１つ目の分割エリアの差分値は「０」、２つ目の分割エリアの差分値は「１０」、３つめの分割エリアの差分値は「４０」と算出され、各分割エリア内のサブエリアＳの輝度から算出された差分値の合計は「５０」とされる。
これにより、ＣＰＵ１３１は、図５（ｂ）の分割パターンにおける判別値を「５０」と決定する。
【００４３】
次に、ＣＰＵ１３１は、ブロック領域Ｂを、図５（ｃ）に示す分割パターンで、３つの分割エリアに分割し、分割エリア毎に、その分割エリアに含まれるサブエリアＳの最小輝度と最大輝度の差分値を算出する。
すると、１つ目の分割エリアの差分値は「０」、２つ目の分割エリアの差分値は「１０」、３つめの分割エリアの差分値は「０」と算出され、各分割エリア内のサブエリアＳの輝度から算出された差分値の合計は「１０」とされる。
これにより、ＣＰＵ１３１は、図５（ｃ）の分割パターンにおける判別値を「１０」と決定する。
【００４４】
次に、ＣＰＵ１３１は、ブロック領域Ｂを、図５（ｄ）に示す分割パターンで、３つの分割エリアに分割し、分割エリア毎に、その分割エリアに含まれるサブエリアＳの最小輝度と最大輝度の差分値を算出する。
すると、１つ目の分割エリアの差分値は「７０」、２つ目の分割エリアの差分値は「０」、３つめの分割エリアの差分値は「４０」と算出され、各分割エリア内のサブエリアＳの輝度から算出された差分値の合計は「１１０」とされる。
これにより、ＣＰＵ１３１は、図５（ｄ）の分割パターンにおける判別値を「１１０」と決定する。
【００４５】
次に、ＣＰＵ１３１は、ブロック領域Ｂを、図５（ｅ）に示す分割パターンで、３つの分割エリアに分割し、分割エリア毎に、その分割エリアに含まれるサブエリアＳの最小輝度と最大輝度の差分値を算出する。
すると、１つ目の分割エリアの差分値は「７０」、２つ目の分割エリアの差分値は「１０」、３つめの分割エリアの差分値は「４０」と算出され、各分割エリア内のサブエリアＳの輝度から算出された差分値の合計は「１２０」とされる。
これにより、ＣＰＵ１３１は、図５（ｅ）の分割パターンにおける判別値を「１２０」と決定する。
【００４６】
次に、ＣＰＵ１３１は、ブロック領域Ｂを、図５（ｆ）に示す分割パターンで、３つの分割エリアに分割し、分割エリア毎に、その分割エリアに含まれるサブエリアＳの最小輝度と最大輝度の差分値を算出する。
すると、１つ目の分割エリアの差分値は「７０」、２つ目の分割エリアの差分値は「１０」、３つめの分割エリアの差分値は「０」と算出され、各分割エリア内のサブエリアＳの輝度から算出された差分値の合計は「８０」とされる。
これにより、ＣＰＵ１３１は、図５（ｆ）の分割パターンにおける判別値を「８０」と決定する。
【００４７】
次に、ＣＰＵ１３１は、ブロック領域Ｂを、図５（ｇ）に示す分割パターンで、３つの分割エリアに分割し、分割エリア毎に、その分割エリアに含まれるサブエリアＳの最小輝度と最大輝度の差分値を算出する。
すると、１つ目の分割エリアの差分値は「７０」、２つ目の分割エリアの差分値は「０」、３つめの分割エリアの差分値は「４０」と算出され、各分割エリア内のサブエリアＳの輝度から算出された差分値の合計は「１１０」とされる。
これにより、ＣＰＵ１３１は、図５（ｇ）の分割パターンにおける判別値を「１１０」と決定する。
【００４８】
次に、ＣＰＵ１３１は、ブロック領域Ｂを、図５（ｈ）に示す分割パターンで、３つの分割エリアに分割し、分割エリア毎に、その分割エリアに含まれるサブエリアＳの最小輝度と最大輝度の差分値を算出する。
すると、１つ目の分割エリアの差分値は「７０」、２つ目の分割エリアの差分値は「０」、３つめの分割エリアの差分値は「０」と算出され、各分割エリア内のサブエリアＳの輝度から算出された差分値の合計は「７０」とされる。
これにより、ＣＰＵ１３１は、図５（ｈ）の分割パターンにおける判別値を「７０」と決定する。
【００４９】
以上の処理により８つの分割パターンの判別値を算出すると、ＣＰＵ１３１は、算出した８つの判別値を比較し、判別値が最も小さい分割パターンを特定する。
これにより、８つの分割パターンのうち、判別値「１０」の図５（ｃ）の分割パターンが、判別値が最小となる分割パターンとして特定される。
【００５０】
分割プログラム１３４ｃは、例えば、ＣＰＵ１３１に、特定プログラム１３４ｂの実行により特定された分割パターンで、ブロック領域Ｂを分割エリアに分割し、駆動回路Ｄの各々が担当する分割エリアを特定する機能を実現させるためのプログラムである。
具体的には、分割プログラム１３４ｃを実行するＣＰＵ１３１は、特定プログラム１３４ｂの実行において、判別値が最小となる分割パターンが特定されると、バックライト制御部１１を介して、各駆動回路ＤのスイッチＳＷの切り換え処理を行って、ブロック領域Ｂに含まれるＬＥＤ９１を、その分割パターンの分割エリア単位で接続させることにより、ブロック領域Ｂを分割エリアに分割する。
【００５１】
例えば、図５（ｃ）の分割パターンでブロック領域Ｂを分割する場合、ＣＰＵ１３１は、ブロック領域Ｂ内のスイッチＳＷを、図７に例示する接続パターンで切り換えて、図５（ｃ）の分割パターンにおける各分割エリア単位でＬＥＤ９１同士を接続させる。
図７の駆動回路Ｄでは、エリアＡ（１、１）内の第１ＬＥＤ９１ａが、駆動回路Ｄ（１、１）によって駆動されるようになっている。また、エリアＡ（１、１）内の第２ＬＥＤ９１ｂと、エリアＡ（１、２）内の第１ＬＥＤ９１ａ及び第２ＬＥＤ９１ｂと、エリアＡ（１、３）内の第１ＬＥＤ９１ａとが、一つの駆動回路Ｄ（１、２）によって駆動されるようになっている。さらに、エリアＡ（１、３）内の第２ＬＥＤ９１ｂが、駆動回路Ｄ（１、３）によって駆動されるようになっている。
上述したように、一つの駆動回路Ｄにより駆動されるＬＥＤ９１は同一の駆動信号により同一輝度で駆動されることとなるため、一つの駆動回路Ｄにより駆動されるＬＥＤ９１の位置するサブエリアＳの集合が、一つの分割エリアを構成することとなる。
したがって、図６に示すＬＥＤ９１の接続パターンでブロック領域Ｂ内の各駆動回路Ｄを駆動することにより、エリアＡ（１、１）内の第１ＬＥＤ９１ａが配置された第１サブエリアＳ１が１つ目の分割エリアに分割され、エリアＡ（１、１）内の第２ＬＥＤ９１ｂ、エリアＡ（１、２）内の第１ＬＥＤ９１ａ及び第２ＬＥＤ９１ｂ、エリアＡ（１、３）内の第１ＬＥＤ９１ａが配置された４つのサブエリアから成る領域が２つめの分割エリアに分割され、エリア（１、３）内の第２ＬＥＤ９１ｂが配置された第２サブエリアＳ２が３つ目の分割エリアに分割されることとなる。
【００５２】
そして、ブロック領域Ｂを分割エリアに分割すると、このブロック領域Ｂを構成する各エリアＡに対応する駆動回路Ｄのそれぞれが担当する分割エリアが特定されることとなる。
すなわち、駆動回路Ｄ（１、１）は、エリアＡ（１、１）の第１サブエリアＳ１から成る１つ目の分割エリアを担当すると特定される。また、駆動回路Ｄ（１、２）は、エリアＡ（１、１）内の第２サブエリアＳ２、エリアＡ（１、２）内の第１サブエリアＳ１及び第２サブエリアＳ２、エリアＡ（１、３）内の第１サブエリアＳ１から成る２つ目の分割エリアを担当すると特定される。また、駆動回路Ｄ（１、３）は、エリア（１、３）内の第２サブエリアＳ２から成る３つ目の分割エリアを担当すると特定される。
ＣＰＵ１３１は、かかる分割プログラム１３４ｃを実行することにより、分割手段として機能する。
【００５３】
発光強度算出プログラム１３４ｄは、例えば、ＣＰＵ１３１に、分割プログラム１３４ｃの実行により分割された分割エリア内におけるサブエリアＳ（第１サブエリアＳ１及び第２サブエリアＳ２）の輝度に基づいて、分割エリア内のＬＥＤ９１（第１ＬＥＤ９１ａ及び第２ＬＥＤ９１ｂ）の発光強度を算出する機能を実現させるためのプログラムである。
具体的には、発光強度算出プログラム１３４ｄを実行するＣＰＵ１３１は、分割プログラム１３４ｃの実行において分割された分割エリアのそれぞれについて、例えば、その分割エリアに含まれる各サブエリアＳの輝度のうちの最大輝度を、その分割エリア内のＬＥＤ９１の発光強度として決定する。
すなわち、例えば、エリアＡ（１、１）の第１サブエリアＳ１の輝度が「２０」、第２サブエリアＳ２の輝度が「９０」、エリアＡ（１、２）の第１サブエリアＳ１の輝度が「９０」、第２サブエリアＳ２の輝度が「８０」、エリアＡ（１、３）の第１サブエリアＳ１の輝度が「８０」、第２サブエリアＳ２の輝度が「４０」と算出されたブロック領域Ｂ（図６参照）が、図５（ｃ）の分割パターンで分割される場合、１つ目の分割エリア内のＬＥＤ９１の発光強度は「２０」、２つ目の分割エリア内のＬＥＤ９１の発光強度は「９０」、３つ目の分割エリア内のＬＥＤ９１の発光強度は「４０」と算出される。
なお、各分割エリアにおけるＬＥＤ９１の発光強度の算出方法は、サブエリアＳの最大輝度に基づくものに限られず、その他任意の算出方法を用いることができる。
ＣＰＵ１３１は、かかる発光強度算出プログラム１３４ｄを実行することにより、発光強度算出手段として機能する。
【００５４】
発光制御プログラム１３４ｅは、例えば、ＣＰＵ１３１に、駆動回路Ｄの各々により、分割プログラム１３４ｃの実行により特定された駆動回路Ｄの各々が担当する分割エリア内のＬＥＤ９１を、発光強度算出プログラム１３４ｄの実行により算出された発光強度で発光させる機能を実現させるためのプログラムである。
具体的には、発光制御プログラム１３４ｅを実行するＣＰＵ１３１は、バックライト制御部１１を介して、各駆動回路Ｄに、分割パターンに応じて互いに接続された各分割エリア内のＬＥＤ９１を、各分割エリアの発光強度で発光させる。これにより、ブロック領域Ｂ内のＬＥＤ９１が、分割エリア毎に同一輝度で発光されることとなる。
例えば、駆動回路Ｄ（１、１）が、１つ目の分割エリアを担当すると特定され、駆動回路Ｄ（１、２）が、２つ目の分割エリアを担当すると特定され、駆動回路Ｄ（１、３）が、３つ目の分割エリアを担当すると特定され、さらに、１つ目の分割エリア内のＬＥＤ９１の発光強度が「２０」、２つ目の分割エリア内のＬＥＤ９１の発光強度が「９０」、３つ目の分割エリア内のＬＥＤ９１の発光強度が「４０」と算出された場合、ＣＰＵ１３１は、駆動回路Ｄ（１、１）により、１つ目の分割エリア内のＬＥＤ９１を発光強度「２０」で発光させ、駆動回路Ｄ（１、２）により、２つ目の分割エリア内のＬＥＤ９１を発光強度「９０」で発光させ、駆動回路Ｄ（１、３）により、３つ目の分割エリア内のＬＥＤ９１を発光強度「４０」で発光させる。
ＣＰＵ１３１は、かかる発光制御プログラム１３４ｅを実行することにより、バックライト制御部１１とともに、発光制御手段として機能する。
【００５５】
補正プログラム１３４ｆは、例えば、ＣＰＵ１３１に、特定プログラムの実行により特定された分割エリアに属する画素の映像信号を、発光強度算出プログラム１３４ｄの実行により算出された当該分割エリア内のＬＥＤ９１の発光強度に応じて補正する機能を実現させるためのプログラムである。
具体的には、補正プログラム１３４ｆを実行するＣＰＵ１３１は、各分割エリアに属する画素の映像信号の輝度値と、その分割エリア内のＬＥＤ９１の発光強度とに基づいて、画素毎に、ＬＥＤ９１の発光強度と目標の輝度を比較する。そして、ＬＥＤ９１の発光強度が目標の輝度に達していない画素については、補正部１２において、その画素の輝度を高くする補正を行うことで輝度の不足分を補填する。一方、ＬＥＤ９１の発光強度が目標の輝度を超える画素については、補正部１２において、その画素の輝度を低くする補正を行うことで輝度の過多分を補填する。
ＣＰＵ１３１は、かかる補正プログラム１３４ｆを実行することにより、補正部１２とともに補正手段として機能する。
【００５６】
次に、図８のフローチャートを参照しながら、本実施形態において実行される映像表示処理の流れについて説明する。
【００５７】
初めに、ステップＳ１０１において、ＣＰＵ１３１は、輝度算出部５において、入力される映像信号に基づいて、サブエリアＳ毎に、そのサブエリアＳでの映像表示に必要な輝度を算出させる。
次に、ステップＳ１０２において、ＣＰＵ１３１は、３つのエリアＡから成るブロック領域Ｂを予め定められた８つの分割パターンで分割する。そして、各分割パターンで分割した場合のそれぞれについて、ブロック領域Ｂに含まれる分割エリア毎に、その分割エリアに含まれるサブエリアＳの最小輝度と最大輝度の差分値を算出し、算出した差分値を分割エリア間で合計又は平均化することにより、所定の判別値を算出する。
次に、ステップＳ１０３において、ＣＰＵ１３１は、ステップＳ１０２の処理により算出された各分割パターンの所定の判別値に基づいて、８つの分割パターンのうち、所定の判別値が最も小さくなる分割パターンを特定する。
次に、ステップＳ１０４において、ＣＰＵ１３１は、ブロック領域Ｂに対応する各駆動回路Ｄに備わるスイッチＳＷの切り換え処理を行って、ステップＳ１０３の処理において特定した分割パターンでブロック領域Ｂを分割するとともに、ブロック領域Ｂに対応する各駆動回路Ｄが担当する分割エリアを特定する。
次に、ステップＳ１０５において、ＣＰＵ１３１は、ブロック領域Ｂ内の各サブエリアＳに必要な輝度に基づいて、各分割エリア内のＬＥＤ９１の発光強度を算出する。
次に、ステップＳ１０６において、ＣＰＵ１３１は、バックライト制御部１１により、各駆動回路Ｄに、各々が担当する分割エリア内のＬＥＤ９１を、ステップＳ１０５の処理により算出された発光強度で発光させる。
次に、ステップＳ１０７において、ＣＰＵ１３１は、補正部１２により、ブロック領域Ｂ内の画素の映像信号を、その画素が属する分割エリア内のＬＥＤ９１の発光強度に応じて補正し、本処理を終了する。
【００５８】
以上説明した本発明を適用した本実施形態の液晶表示装置１００によれば、複数のエリアＡに分割された液晶パネル６と、当該エリアＡに一対一で対応する複数の光源Ｌを備えるＬＥＤバックライト９と、当該エリアＡと同数設けられ、各エリアＡに対応する光源Ｌを駆動する駆動回路Ｄと、が備わり、エリアＡの各々には、第１サブエリアＳ１と第２サブエリアＳ２とが含まれ、光源Ｌの各々は、第１サブエリアＳ１に対応する第１ＬＥＤ９１ａと、第２サブエリアＳ２に対応する第２ＬＥＤ９１ｂと、から構成され、駆動回路Ｄの各々は、対応するエリアＡ内の第１ＬＥＤ９１ａ及び第２ＬＥＤ９１ｂと、互いに隣接するエリアＡ内の第１ＬＥＤ９１ａ又は第２ＬＥＤ９１ｂのうちの隣接する側に配されているＬＥＤ９１と、を駆動可能に構成される。また、輝度算出プログラム１３４ａの実行により、映像信号に基づいて、第１サブエリアＳ１及び第２サブエリアＳ２毎に必要な輝度が算出され、特定プログラム１３４ｂの実行により、３つのエリアＡから成るブロック領域Ｂが、予め定められた８つの分割パターンで３つの分割エリアに分割した場合における所定の判別値が算出され、８つの分割パターンの中から、算出した判別値が最も小さくなる分割パターンが特定される。また、分割プログラム１３４ｃの実行により、特定プログラム１３４ｂの実行により特定された分割パターンにより、ブロック領域Ｂが分割エリアに分割され、駆動回路Ｄの各々が担当する分割エリアが特定され、発光強度算出プログラム１３４ｄの実行により、分割プログラム１３４ｃの実行により分割された分割エリア内における第１サブエリアＳ１及び第２サブエリアＳ２の輝度に基づいて、当該分割エリア内のＬＥＤ９１の発光強度が算出される。また、発光制御プログラム１３４ｅの実行により、駆動回路Ｄの各々により、分割プログラム１３４ｃの実行により特定された当該駆動回路Ｄの各々が担当する分割エリア内のＬＥＤ９１が、発光強度算出プログラム１３４ｄの実行により算出された発光強度で発光され、補正プログラム１３４ｆの実行により、分割プログラム１３４ｃの実行により分割された分割エリアに属する画素の映像信号が、発光強度算出プログラム１３４ｄの実行により算出された当該分割エリア内のＬＥＤ９１の発光強度に応じて補正される。また、判別値は、輝度算出プログラム１３４ａの実行により算出されたサブエリアＳ毎の輝度に基づいて、一のブロック領域Ｂに含まれる分割エリア毎に、その分割エリアに含まれるサブエリアＳの最小輝度と最大輝度の差分値を算出し、算出した当該差分値を、一のブロック領域Ｂに含まれる分割エリア間で合計若しくは平均化した値である。
すなわち、映像信号に基づいて、３つのエリアＡから成るブロック領域Ｂが、予め定められた８つの分割パターンのうち、そのブロック領域Ｂに含まれる各分割エリア内のサブエリアＳの輝度の差分の分割エリア全体での総和若しくは平均値が最も小さくなる分割パターンにより分割され、各駆動回路Ｄにより、ブロック領域Ｂ内のＬＥＤ９１が、分割エリア単位で発光されることとなる。したがって、表示領域が複数のエリアＡに分割された液晶表示装置１００において、各エリアＡの大きさが表示映像に基づく適切な大きさに変わることとなり、常に固定されたエリア単位で各光源Ｌを発光させる場合と比較して、消費電力の低減と画質の向上を図ることができる。
【００５９】
なお、本発明の範囲は上記実施形態に限られることなく、本発明の趣旨を逸脱しない範囲において種々の改良並びに設計の変更を行っても良い。
【００６０】
例えば、上記実施形態では、３つのエリアから成るブロック領域Ｂのみを対象として説明したが、ブロック領域Ｂに含まれるエリアＡの数は幾つであっても良く、液晶パネル６における任意の領域をブロック領域Ｂとすることができる。例えば、縦一列分のエリアＡや、横一列分のエリアＡを一つのブロック領域Ｂとしても良い。また例えば、液晶パネル６全体を一つのブロック領域Ｂとしても良い。なお、予め定められた分割パターンの数も８つに限られず、一つのブロック領域Ｂに含まれるエリアＡの数に対応する数となる。
また、上記実施形態では、１つのブロック領域Ｂを対象とする処理についてのみ説明したが、液晶パネル６内に複数のブロック領域Ｂを設ける場合には、各ブロック領域Ｂについて上記の処理を実行することができる。
さらに、一のエリアＡを構成するサブエリアＳの数も２つに限らず、３つ以上であってもよい。
【図面の簡単な説明】
【００６１】
【図１】本発明を適用した本実施形態の液晶表示装置の要部構成を示すブロック図である。
【図２】図２（ａ）は、本実施形態の液晶パネルの表示領域を模式的に示す図であり、図２（ｂ）は、本実施形態のＬＥＤバックライトを模式的に示す図である。
【図３】図３（ａ）は、液晶パネルを構成する複数のエリアのうちの一つのエリアを模式的に示す図であり、図３（ｂ）は、図３（ａ）のエリアに対応する一つの光源を模式的に示す図であり、図３（ｃ）は、図３（ａ）のエリアと図３（ｂ）の光源とを重ね合わせた図である。
【図４】ブロック領域に対応する駆動回路の例示である。
【図５】３つのエリアから成るブロック領域を３つの分割エリアに分割するための８つの分割パターンである。
【図６】ブロック領域内の各サブエリアの輝度の一例を示す図である。
【図７】ブロック領域を図５（ｃ）の分割パターンで分割する場合の駆動回路である。
【図８】本実施形態において実行される映像表示処理の流れを示すフローチャートである。
【符号の説明】
【００６２】
１００    液晶表示装置
５        輝度算出部（算出手段）
９        ＬＥＤバックライト
９１      ＬＥＤ
９１ａ    第１ＬＥＤ
９１ｂ    第２ＬＥＤ
１２      補正部（補正手段）
１３１    ＣＰＵ（算出手段、特定手段、分割手段、発光強度算出手段、補正手段、制御手段）
１３４ａ  輝度算出プログラム（算出手段）
１３４ｂ  特定プログラム（特定手段）
１３４ｃ  分割プログラム（分割手段）
１３４ｄ  発光強度算出プログラム（発光強度算出手段）
１３４ｅ  発光制御プログラム（発光制御手段）
１３４ｆ  補正プログラム（補正手段）
Ａ（Ａ（１、１）〜Ａ（ｍ、ｎ））  エリア
Ｄ（Ｄ（１、１）〜Ｄ（ｍ、ｎ））  駆動回路
Ｌ（Ｌ（１、１）〜Ｌ（ｍ、ｎ））  光源
Ｓ        サブエリア
Ｓ１      第１サブエリア
Ｓ２      第２サブエリア
【図１】
2010102019.tif 000003
【図２】
2010102019.tif 000004
【図３】
2010102019.tif 000005
【図４】
2010102019.tif 000006
【図５】
2010102019.tif 000007
【図６】
2010102019.tif 000008
【図７】
2010102019.tif 000009
【図８】
2010102019.tif 000010